(57)【要約】【課題】ラベル挿し育苗用ポットに挿し込んだラベルの表示部にかかる外力によってラベル自体が前後に傾倒もしくは揺動してしまうのを防止できるようにする。【解決手段】底部２から上端開口縁にかけて次第に拡径した傾斜周壁３を備え、上端開口縁から外方に僅かに張り出し状となって連続する耳部４を有してなるラベル挿し育苗用ポット１とする。上端開口縁の耳部４より下側には、ラベルＲの脚部Ｌを挿し込む挿し用割溝１３を傾斜周壁３に沿って左右に相対向して形成してなる略ゲート状のラベル挿し部１１を備える。ラベルＲはラベル挿し部１１への挿し込み後に係着保持するよう脚部Ｌの付け根側の両側対称位置に形成した係止爪Ｐと、脚部Ｌをラベル挿し部１１に挿し込んだ位置で耳部４外側に掛架保持するようラベルＲの脚部Ｌ中央から表示部Ｓにかけて略Ｕ字状の切り込みによって形成した舌片部Ｑとを備える。【選択図】図１
0003134550.tif 000002
【実用新案登録請求の範囲】
【請求項１】
底部から上端開口縁にかけて次第に拡径した傾斜周壁を備え、上端開口縁から外方に僅かに張り出し状となって連続する耳部を有してなるラベル挿し育苗用ポットであって、上端開口縁の耳部より下側には、ラベルの脚部を挿し込む挿し用割溝を傾斜周壁に沿って左右に相対向して形成してなる略ゲート状のラベル挿し部を備えたことを特徴とするラベル挿し育苗用ポット。
【請求項２】
栽培物の各情報を表示した表示部と、育苗用ポットの上端開口縁内側における耳部下側に形成されたラベル挿し部に挿し込まれる脚部とからなるラベルであって、該ラベルはラベル挿し部への挿し込み後に係着保持されるよう脚部の付け根側の両側対称位置に形成された係止爪と、脚部がラベル挿し部に挿し込まれた位置で耳部外側に掛架保持されるようラベルの脚部中央から表示部にかけて略Ｕ字状の切り込みによって形成された舌片部とを備えてなることを特徴とするラベル挿し育苗用ポットに使用されるラベル。
【請求項３】
底部から上端開口縁にかけて次第に拡径した傾斜周壁を備え、上端開口縁から外方に僅かに張り出し状となって連続する耳部を有してなるラベル挿し育苗用ポットであって、上端開口縁の耳部より下側には、ラベルの脚部を挿し込む挿し用割溝を傾斜周壁に沿って左右に相対向して形成してなる略ゲート状のラベル挿し部を備えると共に、栽培物の各情報を表示した表示部と、育苗用ポットの上端開口縁内側における耳部下側に形成されたラベル挿し部に挿し込まれる脚部とからなるラベルを備え、該ラベルはラベル挿し部への挿し込み後に係着保持されるよう脚部の付け根側の両側対称位置に形成された係止爪と、脚部がラベル挿し部に挿し込まれた位置で耳部外側に掛架保持されるようラベルの脚部中央から表示部にかけて略Ｕ字状の切り込みによって形成された舌片部とを備えてなることを特徴とするラベル挿し育苗用ポット。
【考案の詳細な説明】
【技術分野】
【０００１】
本考案は、育苗用ポットに、この育苗用ポットに収容されている栽培物の情報等が表示されている別体のラベルを簡単に脱着でき、しかも挿着後には揺動せずに安定して固定させておくことができる使い勝手に優れたラベル挿し育苗用ポットおよびこれに使用されるラベルに関する。
【背景技術】
【０００２】
従来から、例えば家庭菜園用に販売される比較的に小型の育苗物は、これを仮植えしている薄肉シート製側壁を備えた育苗ポットによって陳列、販売されている。このための種のラベル挿し育苗用ポットとしては、例えば特許文献１乃至３および図４に開示されているように、排水孔を有する円形の底部１０２から上方に向かって拡径し開口縁で終端する傾斜周壁１０３より内方に窪む筐体形状のラベル挿し部１０１と、該ラベル挿し部１０１の天井面と底面との両方に形成されたラベル挿し孔たるスリット状の切込み孔１０４とから構成されたラベル挿し育苗ポット１００が存在する。
【０００３】
また、ラベルＲはポリエチレンシートを抜き成形して製造したものであり、植物名、原産地、栽培方法等の情報を印刷表示した表示部Ｓと、係止爪１０５を有する脚部Ｌとからなる立札形状をなしており、係止爪１０５は前記ラベル挿し部１０１の切込み孔１０４に対して係着できるようになっている。
【特許文献１】特開２００５−８０６１９号公報
【特許文献２】特開２００５−２０４６７１号公報
【特許文献３】特開２００５−２０４６７２号公報
【考案の開示】
【考案が解決しようとする課題】
【０００４】
しかしながら、従来においては、ラベルＲは脚部Ｌの係止爪１０５を窪み状のラベル挿し部１０１の天井面と底面との両方に形成された切込み孔１０４に挿し込み係着させており、このラベル挿し部１０１自体は横に細長く縦に短い窪み状となって形成されている。そのため、切込み孔１０４に脚部Ｌが挿し込まれたラベルＲは非常に不安定なものとなり、表示部Ｓにかかる外力によってラベルＲ自体は容易く前後に揺動してしまうという問題点を有していた。
【０００５】
そこで、本考案は叙上のような従来存した諸事情に鑑み創案されたもので、ラベル挿し育苗用ポットのラベル挿し部にラベルの脚部を挿し込んだ際に当該脚部を安定した状態で起立保持させておくことができ、当該ラベルの表示部にかかる外力によってラベル自体が前後に傾倒もしくは揺動してしまうのを防止できるものとしたラベル挿し育苗用ポットおよびこれに使用されるラベルを提供することを目的とする。
【課題を解決するための手段】
【０００６】
上述した課題を解決するため、本考案にあっては、底部２から上端開口縁にかけて次第に拡径した傾斜周壁３を備え、上端開口縁から外方に僅かに張り出し状となって連続する耳部４を有してなるラベル挿し育苗用ポット１であって、上端開口縁の耳部４より下側には、ラベルＲの脚部Ｌを挿し込む挿し用割溝１３を傾斜周壁３に沿って左右に相対向して形成してなる略ゲート状のラベル挿し部１１を備えたものである。
また、植物名、原産地、栽培方法その他の栽培物の各情報を例えば印刷にて表示した表示部Ｓと、育苗用ポット１の上端開口縁内側における耳部４下側に形成されたラベル挿し部１１に挿し込まれる脚部ＬとからなるラベルＲであって、該ラベルＲはラベル挿し部１１への挿し込み後に係着保持されるよう脚部Ｌの付け根側の両側対称位置に形成された係止爪Ｐと、脚部Ｌがラベル挿し部１１に挿し込まれた位置で耳部４外側に掛架保持されるようラベルＲの脚部Ｌ中央から表示部Ｓにかけて略Ｕ字状の切り込みによって形成された舌片部Ｑとを備えてなるものである。
さらに、底部２から上端開口縁にかけて次第に拡径した傾斜周壁３を備え、上端開口縁から外方に僅かに張り出し状となって連続する耳部４を有してなるラベル挿し育苗用ポット１であって、上端開口縁の耳部４より下側には、ラベルＲの脚部Ｌを挿し込む挿し用割溝１３を傾斜周壁３に沿って左右に相対向して形成してなる略ゲート状のラベル挿し部１１を備えると共に、栽培物の各情報を表示した表示部Ｓと、育苗用ポット１の上端開口縁内側における耳部４下側に形成されたラベル挿し部１１に挿し込まれる脚部ＬとからなるラベルＲを備え、該ラベルＲはラベル挿し部１１への挿し込み後に係着保持されるよう脚部Ｌの付け根側の両側対称位置に形成された係止爪Ｐと、脚部Ｌがラベル挿し部１１に挿し込まれた位置で耳部４外側に掛架保持されるようラベルＲの脚部Ｌ中央から表示部Ｓにかけて略Ｕ字状の切り込みによって形成された舌片部Ｑとを備えてなるものである。
【０００７】
以上のように構成された本考案に係るラベル挿し育苗用ポット１およびこれに使用されるラベルＲにあって、ラベル挿し部１１は、ラベルＲの脚部Ｌを挿し込んだ際に当該ラベル挿し部１１の相対向する挿し用割溝１３それぞれを若干外側に撓ませながら脚部Ｌを挿し込ませ、該脚部Ｌを相対向する挿し用割溝１３それぞれに挟み込まれた状態となって挿着させる。
また、脚部Ｌの挿着後では、脚部Ｌ両側の係止爪Ｐをラベル挿し部１１の下面に係着保持させると同時に、舌片部Ｑを若干外方に開放させた状態で、傾斜周壁３上部の耳部４の外側に掛架保持させる。
こうして脚部Ｌと舌片部Ｑとの両者によって上端開口縁における耳部４を内外から挟み込むようにしてラベルＲ自体を安定した状態で起立保持させる。
【考案の効果】
【０００８】
本考案によれば、ラベル挿し育苗用ポット１のラベル挿し部１１にラベルＲの脚部Ｌを挿し込んだ際に当該脚部Ｌを安定した状態で起立保持させておくことができ、当該ラベルＲの表示部Ｓにかかる外力によってラベルＲ自体が前後に傾倒もしくは揺動してしまうのを防止することができる。
【０００９】
すなわち、これは本考案が、上端開口縁の耳部４より下側には、ラベルＲの脚部Ｌを挿し込む挿し用割溝１３を傾斜周壁３に沿って左右に相対向して形成してなる略ゲート状のラベル挿し部１１を備えたからであり、これにより、ラベル挿し部１１に脚部Ｌを挿し込んだ際に当該脚部Ｌを相対向する挿し用割溝１３それぞれに挟み込まれた状態となしてしっかりと固定させることができる。
【００１０】
また、ラベルＲはラベル挿し部１１への挿し込み後に係着保持されるよう脚部Ｌの付け根側の両側対称位置に形成された係止爪Ｐと、脚部Ｌがラベル挿し部１１に挿し込まれた位置で耳部４外側に掛架保持されるようラベルＲの脚部Ｌ中央から表示部Ｓにかけて略Ｕ字状の切り込みによって形成された舌片部Ｑとを備えてなるので、これら脚部Ｌと舌片部Ｑとの両者によって上端開口縁における耳部４を内外から挟み込むようにしてラベルＲ自体を安定した状態で起立保持させておくことができる。
【００１１】
さらに、上端開口縁の耳部４より下側には、ラベルＲの脚部Ｌを挿し込む挿し用割溝１３を傾斜周壁３に沿って左右に相対向して形成してなる略ゲート状のラベル挿し部１１を備えると共に、ラベルＲはラベル挿し部１１への挿し込み後に係着保持されるよう脚部Ｌの付け根側の両側対称位置に形成された係止爪Ｐと、脚部Ｌがラベル挿し部１１に挿し込まれた位置で耳部４外側に掛架保持されるようラベルＲの脚部Ｌ中央から表示部Ｓにかけて略Ｕ字状の切り込みによって形成された舌片部Ｑとを備えてなるので、ラベルＲの表示部Ｓにかかる外力によって当該ラベルＲが前後に傾倒もしくは揺動してしまうのを未然に防止することができる。
【００１２】
尚、上記の課題を解決するための手段、考案の効果の項夫々において付記した符号は、図面中に記載した構成各部を示す部分との参照を容易にするために付したもので、図面中の符号によって示された構造・形状に本考案が限定されるものではない。
【考案を実施するための最良の形態】
【００１３】
以下、図面を参照して本考案を実施するための最良の一形態を説明する。図において示される符号１は、例えばポリエチレン（ＰＥ）、ポリプロピレン（ＰＰ）等の合成樹脂、さらに好ましくはポリ乳酸やカプロラクトン等の脂肪族ポリエステル樹脂等の生分解性の素材によるシートを、例えば真空成形、真空圧空成形あるいは圧空成形等の公知成形法にて形成してなる育苗用ポットである。
【００１４】
この育苗用ポット１は、図１に示すように、例えば円形状を呈する底部２から例えば平面で正方形状の上端開口縁にかけて次第に拡径した傾斜周壁３を備え、上端開口縁から外方に僅かに張り出し状となって連続する耳部４を有していると共に、上端開口縁の四隅において耳部４より下側の傾斜周壁３には縦方向に複数本のリブ５が形成されている。
【００１５】
そして底部２には、図２および図３に示すように、育苗用ポット１を床面等に置いた場合の通気性や排水性を確保するためにクロス溝状の凹部６と、該凹部６のクロス溝中央に穿設した排水孔７とを備えている。尚、この排水孔７は、凹部６外側における底部２の四隅にも形成されている。
【００１６】
また、相対向する上端開口縁において耳部４より下側には、ラベルＲの脚部Ｌを挿し込むための挿し用割溝１３を傾斜周壁３に沿って略ゲート状に左右に相対向してなるラベル挿し部１１が当該傾斜周壁３の外側から内側に向けて窪ませた状態となって形成されている。
【００１７】
すなわち、このラベル挿し部１１は、図２および図３に示すように、略Ｌ字状に突出している左右一対の突面部１２の互いに対向する側面同士が上方に向けて末広がりとなって形成され、これら両側面から内側にかけて縦方向に長溝状、必要があればスリット孔となった挿し用割溝１３が形成されている。このとき、突面部１２は、その側面から下面にかけて略三角形状に突出した状態となって形成される。
【００１８】
一方、ラベル挿し部１１に取り付けられる別体のラベルＲは、例えばポリエチレンシートを抜き成形して製造され、植物名、原産地、栽培方法等の栽培物に関する各種情報を例えば印刷にて表示した表示部Ｓと、ラベル挿し部１１の相対向する挿し用割溝１３それぞれに挟み込まれた状態にして両側が挿し込まれるよう下端に向けて次第に先細となった脚部Ｌとからなる立札形状をなしている。
【００１９】
また、表示部Ｓに対する脚部Ｌの付け根側の両側対称位置には段差状の切り込みによって係止爪Ｐが形成されており、脚部Ｌが挿し用割溝１３に挿し込まれた際に左右の係止爪Ｐが突面部１２の下面それぞれに対して係着できるようになっている。
【００２０】
また、図３に示すように、ラベルＲの脚部Ｌ中央から表示部Ｓにかけては略Ｕ字状の切り込みによって下方に向けて切り起こし状に開放される舌片部Ｑが形成されており、脚部Ｌが挿し用割溝１３に挿し込まれた際に当該舌片部Ｑが耳部４外側に掛架保持されるようにしてある。
【００２１】
このようにしてラベルＲ自体は脚部Ｌと舌片部Ｑとの両者によって上端開口縁における耳部４を内外から挟み込むようにして保持されるため、表示部Ｓに対する外力による煽り等でラベルＲは前後に傾倒もしくは揺動せずに済むのである。
【００２２】
次に、以上のように構成された最良の形態についての使用の一例について説明する。先ず、ラベルＲの脚部Ｌをラベル挿し部１１に挿し込む。このとき、脚部Ｌは左右一対の突面部１２それぞれを若干外側に撓ませながら挿し込まれ、互いにその両側がラベル挿し部１１の相対向する挿し用割溝１３それぞれに挟み込まれた状態となって挿着される。そして、挿着後には脚部Ｌ両側の係止爪Ｐは突面部１２の下面それぞれに係着保持される。
【００２３】
一方、舌片部Ｑは、脚部Ｌが挿し用割溝１３に挿し込まれた際に当該舌片部Ｑが若干外方に開放されて傾斜周壁３上部の耳部４の外側に掛架保持される。こうしてラベルＲは脚部Ｌと舌片部Ｑとの両者によって上端開口縁における耳部４を内外から挟み込むようにして保持されるものとなる。
【図面の簡単な説明】
【００２４】
【図１】本考案を実施するための最良の形態におけるラベル挿し育苗用ポットのラベル挿し部にラベルの脚部を挿し込む状態の斜視図である。
【図２】同じくラベル挿し育苗用ポットの平面図である。
【図３】図２中のＸ−Ｘ断面図で、一部の拡大断面図を含む。
【図４】従来例におけるラベル挿し育苗用ポットのラベル挿し部にラベルの脚部を挿し込む状態の斜視図である。
【符号の説明】
【００２５】
Ｐ…係止爪                              Ｑ…舌片部
Ｒ…ラベル                              Ｌ…脚部
Ｓ…表示部
１…育苗用ポット                        ２…底部
３…傾斜周壁                            ４…耳部
５…リブ                                ６…凹部
７…排水孔
１１…ラベル挿し部                      １２…突面部
１３…挿し用割溝
１００…ラベル挿し育苗ポット            １０１…ラベル挿し部
１０２…底部                            １０３…傾斜周壁
１０４…切込み孔                        １０５…係止爪
【図１】
0003134550.tif 000003
【図２】
0003134550.tif 000004
【図３】
0003134550.tif 000005
【図４】
0003134550.tif 000006